(57)【特許請求の範囲】
【請求項１】
移動通信システムにおいて、下向きリンクデータチャネルのための上向きリンク受信確認チャネル（ＡＣＫｎｏｗｌｅｄｇｅｍｅｎｔ  Ｃｈａｎｎｅｌ、ＡＣＫＣＨ）を伝送する方法であって、
下向きリンク制御チャネルと下向きリンクデータチャネルとを受信する段階と、
前記受信した下向きリンクデータチャネルのための上向きリンク受信確認情報を生成する段階と、
前記上向きリンク受信確認情報のための少なくとも２個のチャネル資源を確認する段階と、
少なくとも２個の伝送アンテナを通じ、前記チャネル資源を利用して、前記上向きリンク受信確認情報を含む前記上向きリンク受信確認チャネルを伝送する段階と、を含み、
前記チャネル資源は、第１チャネル資源と第２チャネル資源とを含み、第１伝送アンテナのための前記第１チャネル資源は、前記下向きリンク制御チャネルの最も低いＣＣＥインデックスｎＣＣＥに基づいて決定される第１循環シフト（Ｃｙｃｌｉｃ  Ｓｈｉｆｔ、ＣＳ）及び第１直交カバー（Ｏｒｔｈｏｇｏｎａｌ  Ｃｏｖｅｒ、ＯＣ）であり、第２伝送アンテナのための前記第２チャネル資源は、ＣＣＥインデックスｎＣＣＥ＋１に基づいて決定される第２ＣＳ及び第２ＯＣである
ことを特徴とする、上向きリンク受信確認チャネルの伝送方法。
【請求項２】
ｎ番目のチャネル資源は、ＣＣＥインデックスｎＣＣＥ＋ｎ−１に基づいて確認される、請求項１に記載の上向きリンク受信確認チャネルの伝送方法。
【請求項３】
ｎ番目の伝送アンテナのためのｎ番目のチャネル資源は、ＣＣＥインデックスｎＣＣＥ＋ｎ−１に基づいて確認される、請求項１に記載の上向きリンク受信確認チャネルの伝送方法。
【請求項４】
少なくとも２個の伝送アンテナの数が前記少なくとも２個のチャネル資源の数より多い場合、アンテナ選択（ａｎｔｅｎｎａ  ｓｅｌｅｃｔｉｏｎ）またはプレコーディング（ｐｒｅ−ｃｏｄｉｎｇ）をさらに行う、請求項１に記載の上向きリンク受信確認チャネルの伝送方法。
【請求項５】
移動通信システムにおいて、伝送機器が下向きリンクデータチャネルのための上向きリンク受信確認チャネル（ＡＣＫｎｏｗｌｅｄｇｅｍｅｎｔ  Ｃｈａｎｎｅｌ、ＡＣＫＣＨ）を受信する方法であって、
下向きリンク制御チャネルと下向きリンクデータチャネルとを端末に伝送する段階と、
少なくとも２個のチャネル資源を用いた前記上向きリンク受信確認チャネルを端末から受信する段階と、
前記上向きリンク受信確認チャネルから前記下向きリンクデータチャネルのための上向きリンク受信確認情報を抽出する段階と、を含み、
前記チャネル資源は、第１チャネル資源と第２チャネル資源とを含み、第１伝送アンテナのための前記第１チャネル資源は、前記下向きリンク制御チャネルの最も低いＣＣＥインデックスｎＣＣＥに基づいて決定される第１循環シフト（Ｃｙｃｌｉｃ  Ｓｈｉｆｔ、ＣＳ）及び第１直交カバー（Ｏｒｔｈｏｇｏｎａｌ  Ｃｏｖｅｒ、ＯＣ）であり、第２伝送アンテナのための前記第２チャネル資源は、ＣＣＥインデックスｎＣＣＥ＋１に基づいて決定される第２ＣＳ及び第２ＯＣである
ことを特徴とする、上向きリンク受信確認チャネルの受信方法。
【請求項６】
ｎ番目のチャネル資源は、ＣＣＥインデックスｎＣＣＥ＋ｎ−１に基づいて確認される、請求項５に記載の上向きリンク受信確認チャネルの受信方法。
【請求項７】
ｎ番目の伝送アンテナのためのｎ番目のチャネル資源は、ＣＣＥインデックスｎＣＣＥ＋ｎ−１に基づいて確認される、請求項５に記載の上向きリンク受信確認チャネルの受信方法。
【請求項８】
前記端末の少なくとも２個の伝送アンテナの数が前記少なくとも２個のチャネル資源の数より多い場合、前記端末はアンテナ選択（ａｎｔｅｎｎａ  ｓｅｌｅｃｔｉｏｎ）またはプレコーディング（ｐｒｅ−ｃｏｄｉｎｇ）をさらに行う、請求項５に記載の上向きリンク受信確認チャネルの受信方法。
【請求項９】
移動通信システムにおいて、下向きリンクデータチャネルのための上向きリンク受信確認チャネル（ＡＣＫｎｏｗｌｅｄｇｅｍｅｎｔ  Ｃｈａｎｎｅｌ、ＡＣＫＣＨ）を伝送する機器において、
下向きリンク制御チャネルと下向きリンクデータチャネルとを受信するための受信部と、
前記受信した下向きリンクデータチャネルのための上向きリンク受信確認情報を生成するための制御部と、
前記上向きリンク受信確認情報のための少なくとも２個のチャネル資源を確認し、少なくとも２個の伝送アンテナを通じ、前記チャネル資源を利用して、前記上向きリンク受信確認情報を含む前記上向きリンク受信確認チャネルを伝送するための伝送部と、
前記上向きリンク受信確認情報を伝送するための複数の伝送アンテナと、を含み、
前記チャネル資源は、第１チャネル資源と第２チャネル資源とを含み、第１伝送アンテナのための前記第１チャネル資源は、前記下向きリンク制御チャネルの最も低いＣＣＥインデックスｎＣＣＥに基づいて決定される第１循環シフト（Ｃｙｃｌｉｃ  Ｓｈｉｆｔ、ＣＳ）及び第１直交カバー（Ｏｒｔｈｏｇｏｎａｌ  Ｃｏｖｅｒ、ＯＣ）であり、第２伝送アンテナのための前記第２チャネル資源は、ＣＣＥインデックスｎＣＣＥ＋１に基づいて決定される第２ＣＳ及び第２ＯＣである
ことを特徴とする機器。
【請求項１０】
ｎ番目のチャネル資源は、ＣＣＥインデックスｎＣＣＥ＋ｎ−１に基づいて確認される、請求項９に記載の機器。
【請求項１１】
ｎ番目の伝送アンテナのためのｎ番目のチャネル資源は、ＣＣＥインデックスｎＣＣＥ＋ｎ−１に基づいて確認される、請求項９に記載の機器。
【請求項１２】
前記制御部は、少なくとも２個の伝送アンテナの数が前記少なくとも２個のチャネル資源の数より多い場合、アンテナ選択（ａｎｔｅｎｎａ  ｓｅｌｅｃｔｉｏｎ）またはプレコーディング（ｐｒｅ−ｃｏｄｉｎｇ）をさらに行う、請求項９に記載の機器。
【請求項１３】
移動通信システムにおいて、伝送機器が下向きリンクデータチャネルのための上向きリンク受信確認チャネル（ＡＣＫｎｏｗｌｅｄｇｅｍｅｎｔ  Ｃｈａｎｎｅｌ、ＡＣＫＣＨ）を受信する機器において、
下向きリンク制御チャネルと下向きリンクデータチャネルとを伝送する伝送部と、
少なくとも２個のチャネル資源を用いた前記上向きリンク受信確認チャネルを受信する受信部と、
前記上向きリンク受信確認チャネルから前記下向きリンクデータチャネルのための上向きリンク受信確認情報を抽出する制御部と、を含み、
前記チャネル資源は、第１チャネル資源と第２チャネル資源とを含み、端末の第１伝送アンテナのための前記第１チャネル資源は、前記下向きリンク制御チャネルの最も低いＣＣＥインデックスｎＣＣＥに基づいて決定される第１循環シフト（Ｃｙｃｌｉｃ  Ｓｈｉｆｔ、ＣＳ）及び第１直交カバー（Ｏｒｔｈｏｇｏｎａｌ  Ｃｏｖｅｒ、ＯＣ）であり、前記端末の第２伝送アンテナのための前記第２チャネル資源は、ＣＣＥインデックスｎＣＣＥ＋１に基づいて決定される第２ＣＳ及び第２ＯＣである
ことを特徴とする機器。
【請求項１４】
ｎ番目のチャネル資源は、ＣＣＥインデックスｎＣＣＥ＋ｎ−１に基づいて確認される、請求項１３に記載の機器。
【請求項１５】
ｎ番目の伝送アンテナのためのｎ番目のチャネル資源は、ＣＣＥインデックスｎＣＣＥ＋ｎ−１に基づいて確認される、請求項１３に記載の機器。
【請求項１６】
前記端末の少なくとも２個の伝送アンテナの数が前記少なくとも２個のチャネル資源の数より多い場合、アンテナ選択（ａｎｔｅｎｎａ  ｓｅｌｅｃｔｉｏｎ）またはプレコーディング（ｐｒｅ−ｃｏｄｉｎｇ）をさらに行う、請求項１３に記載の機器。
【発明の詳細な説明】
【技術分野】
【０００１】
本発明は、直交周波数分割多重接続方式の移動通信システムの通信装置及び方法に関し、特に、下向きリンクデータチャネルに対する上向きリンク応答チャネル送受信方法及び装置に関する。
【背景技術】
【０００２】
一般的に、移動通信システムにおいてＨＡＲＱは、パケット基盤移動通信システムにおいてデータ伝送の信頼度及びスループットを高めるのに使用される重要な技術の一つである。前記ＨＡＲＱとは、ＡＲＱ（Automatic Repeat Request）技術とＦＥＣ（Forward Error Correction）技術を結合した技術を言う。
【０００３】
図１は、一般的なＨＡＲＱの一例を示す図であり、前記図１で、横軸は、時間軸を示す。
前記図１を参照すれば、移動通信システムにおいて基地局装置は、多数個のデータチャネル（DATA CHANNEL）を伝送し、端末機装置は、データチャネルを復調し、データを受信する。この時、基地局装置は、データチャネルを通じて同一のデータを繰り返して伝送することができ、異なるデータを連続して伝送することもできる。
【０００４】
すなわち基地局装置は、参照番号１０１のように、特定のデータチャネルを初期伝送する。前記参照番号１０１のデータ伝送を受信する端末機装置は、前記データチャネルに対する復調を試みる。前記過程で、前記データチャネルに対するＣＲＣを行い、前記データ伝送が復調に成功しなかったと判断されれば、端末機装置は、参照番号１０２のようにＮＡＣＫを基地局装置にフィードバックする。この時、前記参照番号１０２のようなＮＡＣＫを受信すれば、基地局装置は、前記参照番号１０１の初期伝送に対する再伝送として参照番号１０３のような再伝送を行う。したがって、前記参照番号１０１の初期伝送及び参照番号１０３の再伝送でのデータチャネルは、同一のデータを伝送する。ここで、留意すべき点は、同一のデータを伝送するとしても、互いに異なるリダンダンシーを含むことができるという点である。
【０００５】
同一の情報を伝送するデータ伝送、すなわち参照番号１０１、１０３、１０５などで表現される同一の情報を伝送する各伝送をサブパケットと称する。前記参照番号１０３であるデータ伝送を受信した端末機装置は、前記参照番号１０３の再伝送に対して前記参照番号１０１で受信した初期伝送データと所定の規則によってコンバイニング（combining）を行い、前記コンバイニングされた結果を通じてデータチャネルの復調を試みる。前記過程で、前記データチャネルに対するＣＲＣを通じて前記データ伝送の復調に成功しなかったと判断されれば、端末機装置は、参照番号１０４のようにＮＡＣＫを基地局装置にさらにフィードバックする。前記参照番号１０４のＮＡＣＫを受信した基地局装置は、前記参照番号１０３の１番目の再伝送時点から定められた時間間隔後に、参照番号１０５のように２番目の再伝送を行う。
【０００６】
したがって、前記参照番号１０１の初期伝送及び１０３の１番目の再伝送、そして前記参照番号１０５の２番目の再伝送のデータチャネルは、いずれも同一の情報を伝送するものである。前記参照番号１０５の２番目の再伝送データを受信する端末機装置は、前記参照番号１０１の初期伝送、前記参照番号１０３の１番目の再伝送、そして前記参照番号１０５の２番目の再伝送をすべて所定の規則によってコンバイニングを行い、これを利用してデータチャネルの復調を行う。前記過程で、前記データチャネルに対するＣＲＣを通じて前記データ伝送の復調が成功したと仮定しよう。この場合、前記端末機装置は、参照符号１０６のＡＣＫをデータ基地局装置にフィードバックする。前記参照番号１０６のＡＣＫを受信した基地局装置は、次のデータ情報に対する初期伝送サブパケットを参照番号１０７のように伝送する。前記参照番号１０７の初期伝送は、前記参照番号１０６を受けた時点で直ちに行われることもでき、所定の時間が経過した後に伝送されることもできるが、これは、所定のスケジューリング結果に起因する。
【０００７】
上記のようにＨＡＲＱを支援するためには、端末機装置がＡＣＫ／ＮＡＣＫフィードバックを伝送しなければならない。前記ＡＣＫ／ＮＡＣＫを伝送するチャネルを応答チャネル（RESPONSE CHANNEL）、すなわちＡＣＫＣＨという。
【０００８】
図２は、移動通信システムの物理下向きリンク制御チャネル（Physical Downlink Control Channel：以下、ＰＤＣＣＨという）の構造と物理上向きリンク制御チャネル（Physical Uplink Control Channel：以下、ＰＵＣＣＨという）との関係を示す図である。
【０００９】
前記図２を参照すれば、基地局装置は、少なくとも１個の制御チャネル要素（Control Channel Element：ＣＣＥ）２０１にＰＤＣＣＨ２０２〜２０４を構成して伝送する。この時、１個のＰＤＣＣＨは、１個あるいは２、４、８個のＣＣＥ２０１を使用することができる。図２に示されたように、各々のＰＤＣＣＨ２０２〜２０４は、下向きリンク承認（Down link Grant：ＤＬ ＧＲＡＮＴ）用途に使用されることができる。すなわち、ＰＤＣＣＨ２０２〜２０４は、物理下向きリンク共用チャネル（Physical Downlink Shared Channel：ＰＤＳＣＨ）、すなわち下向きリンクデータチャネルの資源割当のために使用されることができる。ＰＤＣＣＨ２０２〜２０４を通じてＰＤＳＣＨの資源を割当された端末機装置は、割当されたＰＤＳＣＨ資源を通じて伝送されたデータに対して各ＰＤＣＣＨの１番目のＣＣＥ２０１にマッピングされている応答チャネル（ACKnowledgement Channel：ＡＣＫＣＨ）２０６のためのチャネル資源を通じてＡＣＫ／ＮＡＣＫ情報を伝送する。前記方法に対する例として、ＡＣＫＣＨ１は、ＡＣＫＣＨ Ｒ１というチャネル資源よりなる。ここで、チャネル資源というのは、ＡＣＫＣＨ２０６を構成するためのＣＳ（Cyclic Shift）とＯＣ（Orthogonal Cover）を意味する。前記ＣＣＥ２０１にマッピングされたチャネルインデックスを利用して、端末機装置は、下記表１のように、ＡＣＫＣＨ２０６の資源であるＣＳとＯＣを決定することができる。下記表１は、端末機装置でＡＣＫＣＨ２０６に使用するＣＳとＯＣの決定過程を説明するためのテーブルである。
【００１０】
【表１】
0005989812.tif 000002
【００１１】
前記表１は、普通のＣＰ（Cyclic Prefix）を使用する場合における１８個のＡＣＫＣＨを各シーケンスの干渉を最小化するための構成方法を示している。一例として、ＣＣＥ２０１にマッピングされたチャネルインデックスが５であり、あらかじめ設定された
【００１２】
【数１】
0005989812.tif 000003
【００１３】
が０の場合、端末機装置は、ＣＳ＝１０とＯＣ＝０を使用してＡＣＫＣＨ２０６を生成する。
【００１４】
図３は、各インデックスに該当するＡＣＫＣＨの資源であるＣＳとＯＣを使用してＡＣＫＣＨ構成を説明するための図である。
【００１５】
前記図３を参照すれば、ＡＣＫ／ＮＡＣＫ情報は、割当されたＣＳを使用してＣＧ（Computer Generated）シーケンスを生成した後、シーケンスは、４個にコピーされ、その後、各々のシーケンスは、ＩＦＦＴ（Inverse Fast Fourier Transform）が施された後、各々ＯＣの１ビットを掛けた後、ＰＵＣＣＨチャネルに割当されたリソースブロック（Resource Block）の各シンボルにマッピングされる。マッピングされたＡＣＫ／ＮＡＣＫシンボルは、アップリンクのレファレンス信号（Uplink Reference Signal）シンボルとともに１個のアンテナを通じて１個のサブフレーム内で各々のスロットにホッピングされ、同一の７個のシンボルをマッピングするようになる。
【００１６】
ＰＤＣＣＨが１個または複数のＣＣＥを有する理由は、ＤＬ ＧＲＡＮＴの特性によって長さが異なる情報を伝送することができ、チャネル状況によって異なる個数のＣＣＥを使用することによって、チャネル環境によるＰＤＣＣＨの信頼性を増加させることができる。しかし、上向きリンクＡＣＫ／ＮＡＣＫを伝送するにあたって、ＰＤＣＣＨのＣＣＥ各々にチャネル資源を割当すると仮定する時、チャネル資源は、ＣＣＥの個数と同一に割当されなければならない。ところが、ＰＤＣＣＨが複数のＣＣＥを有する場合には、ＣＣＥにマッピングされた上向きリンクチャネル資源のうち最初のチャネル資源だけ使用され、残りは使用されないため、資源の効率性が減少する。
【先行技術文献】
【非特許文献】
【００１７】
【非特許文献１】Samsung, "Schemes for downlink ACK channel assignment in LTE systems", [online], 3GPP TSG RAN WG1 Meeting #49, 12 May 2007, R1-072243, Retrieved from the Internet <URL: http://www.3gpp.org/ftp/tsg_ran/WG1_RL1/TSGR1_49/Docs/R1-072243.zip>（学術文献等2011-10032-236）
【発明の概要】
【発明が解決しようとする課題】
【００１８】
したがって、本発明の一態様は、直交周波数分割多重接続方式の移動通信システムにおいて上向きリンク資源を効率的に使用し、複数のアンテナを使用することができる方法及び装置を提供する。
また、本発明の一態様は、直交周波数分割多重接続方式の移動通信システムにおいて下向きリンクデータチャネルに対する上向きリンク応答チャネル送信方法及び装置を提供する。
【００１９】
このために、直交周波数分割多重接続方式の移動通信システムにおいて上向きリンク応答チャネル送信方法として、基地局から伝送されるデータ復調のための下向きリンク制御チャネルと復調すべきデータを受信する過程と、前記上向きリンク応答チャネルの送信方法を前記下向きリンク制御チャネルが使用した制御チャネル要素の量によって決定する過程と、前記決定結果と制御チャネルの要素の量によって互いに異なる複数の応答チャネル資源を利用して１個のデータ応答チャネルを各々複数のアンテナを使用して送信するか、１個のデータ応答チャネルを複数のアンテナのうち１個のアンテナ選択方法を使用して上向きリンクデータ応答チャネルを送信する過程と、を含む。
【課題を解決するための手段】
【００２０】
上記目的を達成するために、本発明は、直交周波数分割多重接続方式の移動通信システムにおいて下向きリンクデータチャネルに対する上向きリンク応答チャネル送受信方法及び装置を提供する。
本発明による上向きリンク応答チャネル送信方法は、少なくとも２個のＣＣＥよりなる下向きリンク制御チャネルが受信されれば、前記ＣＣＥ別にチャネル資源を決定する過程と、受信される下向きリンクデータチャネルを分析し、上向きリンク応答情報を生成する過程と、前記ＣＣＥを少なくとも２個の送信アンテナに対応するように割当し、前記送信アンテナを通じて前記上向きリンク応答情報として上向きリンク応答チャネルを送信する過程と、を含むことを特徴とする。
【００２１】
また、本発明による上向きリンク応答チャネル受信方法は、少なくとも２個のＣＣＥよりなる下向きリンク制御チャネルを送信する過程と、前記ＣＣＥの個数が送信装置の送信アンテナの個数以下なら、前記ＣＣＥの個数に相当する個数で受信アンテナを選択し、前記ＣＣＥ別のチャネル資源に対応するように割当する過程と、前記受信アンテナを通じて前記上向きリンク応答チャネルを受信する過程と、を含むことを特徴とする。
【００２２】
また、本発明による上向きリンク応答チャネル送信装置は、少なくとも２個のＣＣＥよりなる下向きリンク制御チャネルが受信されれば、前記ＣＣＥ別にチャネル資源を決定し、受信される下向きリンクデータチャネルを分析し、上向きリンク応答情報を生成する伝送モジュールと、前記上向きリンク応答情報を送信するための多数個の送信アンテナと、前記ＣＣＥを少なくとも２個の送信アンテナに対応するように割当し、前記送信アンテナを通じて前記上向きリンク応答情報として上向きリンク応答チャネルを送信するように制御する制御器とで構成されることを特徴とする。
【００２３】
また、本発明による上向きリンク応答チャネル受信装置は、少なくとも２個のＣＣＥよりなる下向きリンク制御チャネル及び下向きリンクデータチャネルに対応する上向きリンク応答情報を送信装置の少なくとも２個の送信アンテナから受信するための多数個の受信アンテナと、前記ＣＣＥの個数が前記送信アンテナの個数以下なら、前記ＣＣＥの個数に相当する個数で前記受信アンテナを選択し、前記ＣＣＥ別のチャネル資源に対応するように割当し、前記受信アンテナを通じて上向きリンク応答チャネルから前記上向きリンク応答情報を受信するように制御する制御器とを含むことを特徴とする。
【発明の効果】
【００２４】
本発明の実施例による伝送方法は、ＰＤＣＣＨに使用されるＣＣＥの数及び端末機のアンテナ数によって各々対応する上向きリンクＡＣＫＣＨにマッピングされ、下向きリンクのＰＤＳＣＨに対するＡＣＫ／ＮＡＣＫ情報は、前記ＡＣＫＣＨを通じて複数のアンテナを使用して伝送する。したがって、前記ＰＤＣＣＨが複数のＣＣＥを有する場合には、ＣＣＥにマッピングされた上向きリンクチャネル資源に使用され、資源の効率性を向上させることができる。
【図面の簡単な説明】
【００２５】
【図１】一般的なＨＡＲＱの一例を示す図である。
【図２】移動通信システムの物理下向きリンク制御チャネルの構造と物理上向きリンク制御チャネルとの関係を示す図である。
【図３】各インデックスに該当するチャネル資源であるＣＳとＯＣを使用してＡＣＫＣＨ構成を説明するための図である。
【図４】本発明の一実施例による物理上向きリンク応答チャネル送信方法を示す図である。
【図５】ＰＤＣＣＨを構成するＣＣＥ個数によって設定されたチャネル資源であるＣＳとＯＣを使用し、送信アンテナの個数によってＡＣＫ／ＮＡＣＫ情報を伝送する方法を説明するための図である。
【図６】ＰＤＣＣＨを構成するＣＣＥ個数によって設定されたチャネル資源であるＣＳとＯＣを使用し、送信アンテナの個数によってＡＣＫ／ＮＡＣＫ情報を伝送する方法を説明するための図である。
【図７】ＰＤＣＣＨを構成するＣＣＥ個数によって設定されたチャネル資源であるＣＳとＯＣを使用し、送信アンテナの個数によってＡＣＫ／ＮＡＣＫ情報を伝送する方法を説明するための図である。
【図８】ＰＤＣＣＨを構成するＣＣＥ個数によって設定されたチャネル資源であるＣＳとＯＣを使用し、送信アンテナの個数によってＡＣＫ／ＮＡＣＫ情報を伝送する方法を説明するための図である。
【図９】移動通信システムにおいてＡＣＫ／ＮＡＣＫ情報を複数の送信アンテナを通じて伝送する送信装置の構成を示す図である。
【図１０】ＡＣＫ／ＮＡＣＫ情報をＰＤＣＣＨのＣＣＥ個数と送信アンテナの個数によって伝送する制御手続を示す図である。
【図１１】ＡＣＫ／ＮＡＣＫ情報をＰＤＣＣＨのＣＣＥ個数と送信アンテナの個数によって伝送する制御手続を示す図である。
【図１２】ＡＣＫ／ＮＡＣＫ情報をＰＤＣＣＨのＣＣＥ個数と送信アンテナの個数によって伝送する制御手続を示す図である。
【図１３】ＡＣＫ／ＮＡＣＫ情報をＰＤＣＣＨのＣＣＥ個数と送信アンテナの個数によって伝送する制御手続を示す図である。
【図１４】移動通信システムにおいてＡＣＫ／ＮＡＣＫ情報を受信するための受信装置の構成を示す図である。
【図１５】ＡＣＫ／ＮＡＣＫ情報をＰＤＣＣＨのＣＣＥ個数と送信アンテナの個数によって受信する制御の流れ図である。
【図１６】ＡＣＫ／ＮＡＣＫ情報をＰＤＣＣＨのＣＣＥ個数と送信アンテナの個数によって受信する制御の流れ図である。
【図１７】ＡＣＫ／ＮＡＣＫ情報をＰＤＣＣＨのＣＣＥ個数と送信アンテナの個数によって受信する制御の流れ図である。
【図１８】ＡＣＫ／ＮＡＣＫ情報をＰＤＣＣＨのＣＣＥ個数と送信アンテナの個数によって受信する制御の流れ図である。
【発明を実施するための形態】
【００２６】
以下、添付の図面を参照して本発明の好ましい実施形態の詳細な説明を説明する。図面において同一の構成は、同一の符号を示すことに留意しなければならない。
下記で、本発明を説明するにあたって関連された公知の機能または構成に対する具体的な説明が本発明の要旨を不明瞭にすることができると判断される場合には、その詳細な説明を省略する。そして、後述する用語は、本発明での機能を考慮して定義された用語であって、これは、ユーザ、運用者の意図または慣例などによって変わることができる。したがって、それは、本明細書の全般にわたった内容に基づいて定義されなければならない。
【００２７】
図４は、本発明の一実施例による物理上向きリンク制御チャネル応答チャネル送信方法を示す図である。
【００２８】
図４を参照すれば、端末機装置は、ＰＤＣＣＨのＣＣＥ基盤に割当される上向きリンクＡＣＫＣＨを通じてＰＤＳＣＨに対する上向きリンク応答情報、すなわちＡＣＫ／ＮＡＣＫ情報を基地局装置に送信する。この時、端末機装置は、多数個のチャネル資源を利用して特定のＰＤＳＣＨに対する応答として同一のＡＣＫＣＨを伝送することができる。言い換えれば、端末機装置は、ＰＤＣＣＨの１番目のＣＣＥにマッピングされているチャネル資源、すなわちＡＣＫＣＨ Ｒ１ ４０１、ＡＣＫＣＨ Ｒ２ ４０２、ＡＣＫＣＨ Ｒ４ ４０４、ＡＣＫＣＨ Ｒ５ ４０５、ＡＣＫＣＨ Ｒ７ ４０７を利用してＡＣＫＣＨ１〜５ ４１１、４１２、４１４、４１５、４１７を伝送する。また、ＰＤＣＣＨが多数個のＣＣＥよりなる場合、端末機装置は、ＰＤＣＣＨで１番目のＣＣＥ以外の他のＣＣＥにマッピングされたチャネル資源、すなわちＡＣＫＣＨ Ｒ３ ４０３、ＡＣＫＣＨ Ｒ６ ４０６、ＡＣＫＣＨ Ｒ８ ４０８、ＡＣＫＣＨ Ｒ９ ４０９、ＡＣＫＣＨ Ｒ１０ ４１０を利用してＡＣＫＣＨ１〜ＡＣＫＣＨ５ ４１３、４１６、４１８、４１９、４２０を伝送する。また、端末機装置は、ＡＣＫＣＨを多数個の送信アンテナを通じて伝送する。ここで、端末機装置は、ＡＣＫＣＨを構成する多数個のスロットで、各々の送信アンテナにスロット別に異なるようにチャネル資源を割当し、ＡＣＫＣＨを伝送する。
【００２９】
例えば、ＰＤＣＣＨ１ ４２３は、１個のＣＣＥ、すなわちＣＣＥ１ ４２１よりなるので、端末機装置は、ＣＣＥ１ ４２１にマッピングされたチャネル資源であるＡＣＫＣＨ Ｒ１ ４０１を利用してＰＤＳＣＨに対するＡＣＫＣＨ１ ４１１を伝送する。この時、端末機装置は、１個のチャネル資源だけを使用してＡＣＫＣＨを１個あるいは複数の送信アンテナを通じて伝送する。一方、ＰＤＣＣＨ２ ４２４は、２個のＣＣＥ、すなわちＣＣＥ２、ＣＣＥ３ ４２２よりなるので、端末機装置は、ＣＣＥ２、ＣＣＥ３ ３２２に各々マッピングされたＡＣＫＣＨ Ｒ２ ４０２、ＡＣＫＣＨ Ｒ３ ４０３を利用してＰＤＳＣＨに対するＡＣＫＣＨ２ ４１２、４１３を伝送する。この時、端末機装置は、２個のチャネル資源を使用してＡＣＫＣＨを複数の送信アンテナを通じて伝送する。
【００３０】
すなわちＰＵＣＣＨを構成するＣＣＥの個数が送信アンテナの個数以下なら、ＣＣＥの個数に相当する個数で送信アンテナを使用してＡＣＫＣＨを送信する。図５〜図８は、ＰＤＣＣＨを構成するＣＣＥ個数によって設定されたチャネル資源であるＣＳとＯＣを使用し、送信アンテナの個数によってＡＣＫ／ＮＡＣＫ情報を伝送する方法を説明するための図である。
【００３１】
前記図５は、ＰＤＣＣＨが１個のＣＣＥよりなり、端末機装置がこのＰＤＣＣＨにマッピングされた１個のチャネル資源を利用してＡＣＫ／ＮＡＣＫ情報を２個の送信アンテナを通じて伝送する方法を説明するための図である。１個のＡＣＫ／ＮＡＣＫ情報は、１個のチャネル資源である１個のＣＳと１個のＯＣを使用して図３のようにＡＣＫＣＨ伝送のための処理をした後、１番目の例としてアンテナ選択方法を通じて２個の送信アンテナに伝送される。アンテナ選択方法は、同一の情報をスロット１では１番目のアンテナに伝送し、スロット２では、二番目のアンテナに伝送する方法である。二番目の例としてプレコーディングベクトルスイッチング（Precoding Vector Switching：以下、ＰＶＳという）方法を使用して伝送することができる。前記ＰＶＳ方法は、同一の情報を２個のスロットにわたって１番目のアンテナには［１，１］を乗算して伝送し、二番目のアンテナでは［１，−１］を乗算して伝送することによって、直交性を維持して伝送する。
【００３２】
前記図６は、ＰＤＣＣＨが２個のＣＣＥよりなり、２個の送信アンテナを有する端末機装置のＡＣＫ／ＮＡＣＫ伝送方法を説明するための図である。２個のＣＣＥにマッピングされているチャネル資源である２個のＣＳと２個のＯＣを使用して同一のＡＣＫ／ＮＡＣＫ情報を各々伝送する信号に処理した後、各々の送信アンテナにスロット１とスロット２を通じて繰り返し伝送される。すなわち１番目のチャネル資源を使用したＡＣＫ／ＮＡＣＫ情報は、１番目のアンテナに、二番目のチャネル資源を使用したＡＣＫ／ＮＡＣＫ情報は、二番目のアンテナに伝送される。
【００３３】
前記図７は、ＰＤＣＣＨが２個のＣＣＥよりなり、４個の送信アンテナを有する端末機装置のＡＣＫ／ＮＡＣＫ伝送方法を説明するための図である。２個のチャネル資源を利用して生成されたＡＣＫ／ＮＡＣＫ情報は、１個のＡＣＫ／ＮＡＣＫ情報が各々２個の送信アンテナを通じて伝送される。１個のＡＣＫ／ＮＡＣＫ情報が２個の送信アンテナにアンテナ選択方法または前記ＰＶＳ（Precoding Vector Switching）方法を通じて図５のような方法と同様に伝送される。すなわち、ＡＣＫ／ＮＡＣＫ情報は、２個のチャネル資源を使用して伝送すべき信号に処理された後、各々アンテナ１＆２及び３＆４を通じてアンテナ選択方法またはＰＶＳ方法を通じて伝送される。
【００３４】
図８は、ＰＤＣＣＨが４個のＣＣＥよりなり、４個のアンテナを使用する端末機装置のＡＣＫ／ＮＡＣＫ情報の伝送を説明するための図である。ＡＣＫ／ＮＡＣＫ情報は、４個のチャネル資源を使用して各々の送信アンテナを通じて伝送される。
また、ＰＵＣＣＨを構成するＣＣＥの個数が送信アンテナの個数を超過すれば、送信アンテナの個数に相当する個数でＣＣＥを使用してＡＣＫＣＨを送信する。または、送信アンテナの個数の１／２に相当する個数でＣＣＥを使用してＡＣＫＣＨを送信する。この時、２個の送信アンテナのために１個のＣＣＥのチャネル資源を利用してＰＶＳ方法でＡＣＫＣＨを送信することができる。
【００３５】
下記表２で、ＰＤＣＣＨが４個のＣＣＥよりなり、端末機装置が４個のチャネル資源を利用して２個または４個の送信アンテナを通じてＰＶＳ方法でＡＣＫＣＨを伝送する方法を示す。１番目の選択は、３番目及び４番目チャネル資源を使用して同一の方法で６種類の選択方法を有することができる。すなわち下記表２は、４個のチャネル資源のうち２個のチャネル資源だけを使用する場合を示す。
【００３６】
【表２】
0005989812.tif 000004
【００３７】
下記表３で、ＰＤＣＣＨが８個のＣＣＥよりなり、端末機装置が８個のチャネル資源を利用して２個または４個の送信アンテナを通じてＰＶＳ方法でＡＣＫＣＨを伝送する方法を示す。１番目の選択は、７番目及び８番目チャネル資源を使用し、同一の方法で２８種類の選択方法を有することができる。すなわち下記表３は、８個のチャネル資源のうち２個のチャネル資源だけを使用する場合を示す。
【００３８】
【表３】
0005989812.tif 000005
【００３９】
下記表４Ａ、表４Ｂで、ＰＤＣＣＨが８個のＣＣＥよりなり、端末機装置が８個のチャネル資源を利用して４個または８個のチャネル資源を通じてＡＣＫＣＨを伝送する方法を示す。１番目の選択は、５番目、６番目、７番目及び８番目チャネル資源を使用し、同一の方法で７０種類の選択方法を有することができる。すなわち下記表４Ａ、表４Ｂは、８個のチャネル資源のうち４個のチャネル資源だけを使用する場合を示す。
【００４０】
【表４Ａ】
0005989812.tif 000006
【表４Ｂ】
0005989812.tif 000007
【００４１】
図９は、移動通信システムの端末機装置においてＡＣＫ／ＮＡＣＫ情報を複数の送信アンテナに伝送する送信装置の構成を示す図である。
前記図９を参照すれば、送信装置は、複数の伝送モジュール６１０、６２０、６３０、６４０、制御器６００、分配／選択器６５０及び複数の送信機６６１、６６２、６６３、６６４を備える。
【００４２】
各伝送モジュール６１０、６２０、６３０、６４０は、ＰＤＣＣＨのＣＣＥ別のチャネル資源、すなわちＣＳ及びＯＣを決定し、ＰＤＳＣＨの分析結果による上向きリンク応答情報、すなわちＡＣＫ／ＮＡＣＫ情報を生成した後、ＣＳ及びＯＣを使用して処理する。前記図９では、４個の第１伝送モジュール６１０〜第４伝送モジュール６４０で構成された例を取っている。前記第１伝送モジュール６１０を例にして説明すれば、第１伝送モジュール６１０は、ＰＵＣＣＨ伝送部６１１、ＰＵＳＣＨ伝送部６１２、ＩＦＦＴ変換部６１３及びＣＰ処理部６１４を含む。ＰＵＣＣＨ伝送部６１１は、入力されるＡＣＫ／ＮＡＣＫ情報を１個のＣＳ及びＯＣを使用して処理する。ＰＵＳＣＨ伝送部６１２は、生成されたＰＵＳＣＨデータを処理する。ＩＦＦＴ変換部６１３は、前記ＰＵＣＣＨ及びＰＵＳＣＨデータをＩＦＦＴ変換し、ＣＰ処理部６１４は、前記ＩＦＦＴ変換部６１３の出力にＣＰ（Cyclic Prefix）を付加する。前記第２伝送モジュール６２０〜第４伝送モジュール６４０の構成も前記第１伝送モジュール６１０と同一の構成を有し、各々対応する伝送モジュールのデータを前記第１伝送モジュール６１０と同様の方法で処理する。
【００４３】
制御器６００は、ＰＤＣＣＨのＣＣＥ個数（ｎｕｍｂｅｒ ｏｆ ＣＣＥ ｉｎ ＰＤＣＣＨ）及びモード選択信号（ｍｏｄｅ ｓｅｌｅｃｔｉｏｎ ｂｅｔｗｅｅｎ ａｎｔｅｎｎａ ｓｅｌｅｃｔｉｏｎ／ｐｒｅｃｏｄｉｎｇ ｖｅｃｔｏｒ ｓｗｉｔｃｈｉｎｇ）に対する入力信号によって前記第１伝送モジュール６１０〜第４伝送モジュール６４０の出力を選択及び分配する動作を制御する。この時、制御器６００は、ＣＣＥの個数と送信アンテナの個数を比較し、比較結果によって前記第１伝送モジュール６１０〜第４伝送モジュール６４０の出力を選択及び分配する動作を制御する。
【００４４】
分配／選択器６５０は、前記第１伝送モジュール６１０〜第４伝送モジュール６４０の出力を入力し、前記制御器６００の制御下に前記伝送モジュール６１０〜６４０の出力を分配及び選択する機能を行う。この時、分配／選択器６５０は、送信アンテナ別に異なるようにチャネル資源を割当する。例えば、ＣＣＥの個数と送信アンテナの個数が同一であれば、分配／選択器６５０は、送信アンテナにチャネル資源を一対一で対応させて割当する。また、ＣＣＥの個数が送信アンテナの個数を超過すれば、分配／選択器６５０は、送信アンテナの個数に相当する個数でチャネル資源を選択し、送信アンテナ別にチャネル資源を割当する。また、ＣＣＥの個数が送信アンテナの個数未満なら、分配／選択器６５０は、ＣＣＥの個数に相当する個数で送信アンテナを選択し、送信アンテナ別にチャネル資源を割当する。また、分配／選択器６５０は、送信アンテナのうち少なくともいずれか１個を通じてＡＣＫ／ＮＡＣＫ情報を伝送する。
【００４５】
送信機６６１〜６６４は、各々送信アンテナ（第１アンテナ−第４アンテナ）を備え、分配／選択器６５０に出力される基底帯域の送信信号をＲＦ信号に変換して対応する送信アンテナを通じて出力する機能を行う。
【００４６】
前述したように、１個のＡＣＫ／ＮＡＣＫ情報は、伝送モジュール６１０、６２０、６３０、６４０のＰＵＣＣＨ伝送部６１１で１個のＣＳとＯＣを使用して処理された後、ＰＵＳＣＨ伝送部６１２の出力とともにＩＦＦＴ変換及びＣＰ追加するようになる。前述のような一連の過程は、１個のＣＳとＯＣを使用する伝送モジュール６１０、６２０、６３０、６４０で処理され、この伝送モジュール６１０、６２０、６３０、６４０は、ＰＤＣＣＨで使用されたＣＣＥの個数分だけ実装される。また、各々の伝送モジュール６１０、６２０、６３０、６４０は、ＰＤＣＣＨを構成するＣＣＥの個数とアンテナ伝送方法であるアンテナ選択方法またはＰＶＳ方法によって作動する制御器６００で生成された信号を利用して分配／選択器６５０を通じて各送信アンテナに伝送されるべき信号を生成し、各送信アンテナを通じて伝送される。
【００４７】
図１０〜図１３は、ＡＣＫ／ＮＡＣＫ情報をＰＤＣＣＨのＣＣＥ個数と送信装置の送信アンテナの個数によって伝送する制御手続を示す図である。この時、送信装置は、ＰＤＣＣＨが含むＣＣＥの個数を把握し、ＣＣＥの個数によって１個である場合、図１０のような手続を行い、２個である場合には、図１１のような手続を行い、４個の場合には、図１２のような手続を行い、８個の場合には、図１３のような手続を行う。
【００４８】
まず、図１０に示されたように、１個のＣＣＥを有するＰＤＣＣＨを使用したＡＣＫ／ＮＡＣＫ送信方法を説明する。
【００４９】
前記図１０を参照すれば、送信装置は、段階７１２でＰＤＣＣＨを含むＣＣＥの個数を検査する。この時、前記ＣＣＥの個数が１個なら、前記端末機装置は、段階７１４で端末機の送信アンテナ個数を検査する。この時、端末機の送信アンテナ個数が１個なら、前記端末機装置は、段階７１８で１個のＡＣＫ／ＮＡＣＫ情報を同一のチャネル資源である１個のＣＳと１個のＯＣを使用して１個の送信アンテナを通じて伝送する。しかし、前記送信アンテナ個数が２個なら、前記端末機装置は、段階７１６で１個のＡＣＫ／ＮＡＣＫ情報を同一のチャネル資源である１個のＣＳと１個のＯＣを使用して２個の送信アンテナを通じてアンテナ選択方法またはＰＶＳ方法を使用して伝送する。
【００５０】
前記図１０に示されたように、端末機装置は、伝送すべき送信アンテナの個数によってＡＣＫ／ＮＡＣＫ伝送方法を異なるように行う。仮に１個の送信アンテナを使用することができれば、１個のＡＣＫ／ＮＡＣＫ情報を同一のチャネル資源である１個のＣＳとＯＣを使用して１個の送信アンテナを通じて伝送する。仮に２個の送信アンテナを支援すれば、１個のＡＣＫ／ＮＡＣＫ情報を同一のチャネル資源である１個のＣＳとＯＣを使用し、アンテナ選択方法またはＰＶＳ方法を使用して２個の送信アンテナを通じて伝送する。
【００５１】
図１１は、ＰＤＣＣＨが２個のＣＣＥよりなり、１個、２個または４個の送信アンテナを有する端末のＡＣＫ／ＮＡＣＫ情報伝送の流れ図である。
【００５２】
前記図１１を参照すれば、前記図１０の段階７１２でＰＤＣＣＨが含むＣＣＥの個数が２個であると確認されれば、端末機装置は、段階７２２で端末機の送信アンテナの個数を検査する。この時、前記送信アンテナの個数が１個なら、前記送信装置は、段階７２４で既存のＬＴＥシステムと同様に１個のＡＣＫ／ＮＡＣＫ情報を１個のチャネル資源である１個のＣＳと１個のＯＣを使用して１個の送信アンテナを通じて伝送する。例えば、送信装置は、ＡＣＫ／ＮＡＣＫ情報をＰＤＣＣＨの１番目のＣＣＥにマッピングされたチャネル資源を使用して伝送する。しかし、前記送信アンテナの個数が２個なら、前記端末機装置は、段階７２６で１個のＡＣＫ／ＮＡＣＫ情報を２個のチャネル資源である２個のＣＳと２個のＯＣを使用して２個の送信アンテナを通じて伝送する。また、前記アンテナの個数が４個なら、前記端末機装置は、段階７２８で１個のＡＣＫ／ＮＡＣＫ情報を２個のチャネル資源である２個のＣＳと２個のＯＣを使用して４個の送信アンテナを通じて伝送する。１個のＡＣＫ資源を通過したＡＣＫＣＨは、２個の送信アンテナにアンテナ選択／ＰＶＳを使用して伝送される。
【００５３】
前記図１１に示されたように、ＰＤＣＣＨが２個のＣＣＥを有する場合、前記端末機装置は、２個のチャネル資源を利用して１個のＡＣＫ／ＮＡＣＫ情報を伝送することができる。しかし、仮に１個の送信アンテナを有する端末の場合は、既存のＬＴＥシステムと同様に、１個のＡＣＫ／ＮＡＣＫ情報を１個のチャネル資源である１個のＣＳとＯＣを利用して１個の送信アンテナを通じて伝送する。仮に２個の送信アンテナを有する場合は、１個のＡＣＫ／ＮＡＣＫ情報を２個のチャネル資源である２個のＣＳとＯＣを利用して２個の送信アンテナを使用して伝送する。仮に４個のアンテナを使用する端末の場合、１個のＡＣＫ／ＮＡＣＫ情報を２個のチャネル資源である２個のＣＳとＯＣを使用して生成された情報及び２個のチャネル資源を使用して４個の送信アンテナを通じてアンテナ選択方法またはＰＶＳ方法によって伝送される。
【００５４】
図１２は、ＰＤＣＣＨが４個のＣＣＥを有する場合、端末で１、２、４個の送信アンテナによる制御流れ図である。
【００５５】
前記図１２を参照すれば、前記図１０の段階７１２でＰＤＣＣＨが含むＣＣＥの個数が４個であると確認されると、端末機装置は、段階７３２で端末機の送信アンテナの個数を検査する。この時、前記アンテナの個数が１個なら、前記送信装置は、段階７３４で既存のＬＴＥシステムと同様に１個のＡＣＫ／ＮＡＣＫ情報を１個のチャネル資源である１個のＣＳと１個のＯＣを使用して１個の送信アンテナを通じて伝送する。例えば、送信装置は、ＡＣＫ／ＮＡＣＫ情報をＰＤＣＣＨの１番目のＣＣＥにマッピングされたチャネル資源を使用して伝送する。しかし、前記送信アンテナの個数が２個なら、前記端末機装置は、段階７３６で１個のＡＣＫ／ＮＡＣＫ情報を２個のチャネル資源である２個のＣＳと２個のＯＣを使用して２個のアンテナを通じて伝送する。また、前記送信アンテナの個数が４個なら、前記端末機装置は、段階７３８で１個のＡＣＫ／ＮＡＣＫ情報を４個のチャネル資源である４個のＣＳと４個のＯＣを使用して４個のアンテナを通じて伝送する。１個のチャネル資源を通過したＡＣＫＣＨは、２個のアンテナにアンテナ選択／ＰＶＳを使用して伝送される。
【００５６】
前記図１２に示されたように、４個のＣＣＥを有するＰＤＣＣＨを使用する場合、送信装置は、４個のチャネル資源である４個のＣＳとＯＣを使用することができる。仮に１個の送信アンテナを有する端末の場合、既存のＬＴＥシステムと同様に１個のＡＣＫ／ＮＡＣＫ情報を１個のチャネル資源である１個のＣＳとＯＣを使用して１個の送信アンテナを通じて伝送する。仮に２個の送信アンテナを有する場合、前記表２に示されたように、１個のＡＣＫ／ＮＡＣＫ情報は、２個のチャネル資源である２個のＣＳとＯＣを使用して２個の送信アンテナを通じて伝送される。仮に４個の送信アンテナを有する端末の場合は、１個のＡＣＫ／ＮＡＣＫ情報は、４個のチャネル資源である４個のＣＳとＯＣを使用して４個の送信アンテナを通じて伝送される。
【００５７】
図１３は、ＰＤＣＣＨが８個のＣＣＥを有する場合、端末で１、２、４個の送信アンテナによる送信制御流れ図である。
【００５８】
前記図１３を参照すれば、前記図１０の段階７１２でＰＤＣＣＨが含むＣＣＥの個数が８個であると確認されると、端末機装置は、段階７４２で端末機の送信アンテナの個数を検査する。この時、前記アンテナの個数が１個なら、前記送信装置は、段階７４４で既存のＬＴＥシステムと同様に１個のＡＣＫ／ＮＡＣＫ情報を１個のチャネル資源である１個のＣＳと１個のＯＣを使用して１個の送信アンテナを通じて伝送する。例えば、送信装置は、ＡＣＫ／ＮＡＣＫ情報をＰＤＣＣＨの１番目のＣＣＥにマッピングされたチャネル資源を使用して伝送する。しかし、前記送信アンテナの個数が２個なら、前記端末機装置は、段階７４６で１個のＡＣＫ／ＮＡＣＫ情報を２個のチャネル資源である２個のＣＳと２個のＯＣを使用して２個の送信アンテナを通じて伝送する。また、前記送信アンテナの個数が４個なら、前記端末機装置は、段階７４８で１個のＡＣＫ／ＮＡＣＫ情報を４個のチャネル資源である４個のＣＳと４個のＣＯを使用して４個の送信アンテナを通じて伝送する。
【００５９】
ＬＴＥ−Ａシステムでは、逆方向送信アンテナは４個を最大値に限定する。それで、前記図７に示されたように、８個のＣＣＥを有するＰＤＣＣＨを使用する場合、送信装置は、８個のＣＣＥにマッチングされる８個のチャネル資源のうち送信アンテナの個数によって使用されるチャネル資源を選択するようになる。仮に送信アンテナ個数が１個の場合、既存のＬＴＥシステムのように１個のＡＣＫ／ＮＡＣＫ情報を１番目のＣＣＥにマッチングされるチャネル資源を使用して１個の送信アンテナを通じて伝送する。仮に２個の送信アンテナを使用する場合、前記表３に示されたように、１個のＡＣＫ／ＮＡＣＫ情報は、８個のチャネル資源のうち２個のチャネル資源を使用して２個の送信アンテナを通じて伝送される。仮に４個の送信アンテナを使用する場合、前記表４Ａ、表４Ｂに示されたように、１個のＡＣＫ／ＮＡＣＫ情報は、８個のチャネル資源のうち４個のチャネル資源を使用して４個の送信アンテナを通じて伝送される。
【００６０】
図１４は、移動通信システムの基地局でＡＣＫ／ＮＡＣＫ情報を受信するための受信装置の構成を示す図である。
前記図１４を参照すれば、受信装置は、複数の受信モジュール８１０、８２０、８３０、８４０、制御器８００及び選択／合成器８５０を含む。
【００６１】
受信モジュール８１０、８２０、８３０、８４０は、各々受信アンテナを備える。図１４の場合、受信装置が４個の受信アンテナを備える場合を仮定していて、したがって、前記受信モジュールは、第１受信モジュール８１０〜第４受信モジュール８４０を備えることができる。前記第１受信モジュール８１０を例にして受信装置の受信動作を記述すれば、第１受信モジュール８１０は、ＲＦ受信部８１１、ＣＰ除去機８１２、ＦＦＴ処理部８１３、ＰＵＣＣＨ受信部８１４及びＰＵＳＣＨ受信部８１５を含む。ＲＦ受信部８１１は、アンテナから受信されるＲＦ信号を基底帯域の周波数に下降変換し、周波数変換された信号をデジタルデータに変換する。ＣＰ除去機８１２は、前記ＲＦ受信部８１１の出力からＣＰを除去し、ＦＦＴ処理部８１３は、前記ＣＰ除去機８１２の出力をＦＦＴ変換して出力する。また、ＰＵＣＣＨ受信部８１４は、当該チャネル資源であるＣＳとＯＣを使用してＰＵＣＣＨデータを処理してＡＣＫ／ＮＡＣＫ情報を生成する。第２受信モジュール８２０〜第４受信モジュール８４０も、前記第１受信モジュール８１０と同一の構成を有し、各々のＰＵＣＣＨ受信部は、各々対応するチャネル資源、すなわちＣＳ及びＯＣを使用してＡＣＫ／ＮＡＣＫ情報を生成する。
【００６２】
制御器８００は、ＰＤＣＣＨのＣＣＥ個数及び送信装置の送信アンテナ数を比較及び分析し、前記第１受信モジュール８１０〜第４受信モジュール８４０を選択及び合成するための制御信号を生成する。
【００６３】
選択／合成器８５０は、前記制御器８００の第御下に前記第１受信モジュール８１０〜第４受信モジュール８４０の出力を複数個のうち選択するか、前記第１受信モジュール８１０〜第４受信モジュール８４０の出力のうち少なくとも一部を合成し、最終ＡＣＫ／ＮＡＣＫ情報として出力する。この時、選択／合成器８５０は、受信アンテナ別に異なるようにチャネル資源を割当する。例えば、ＣＣＥの個数が送信アンテナの個数以下なら、選択／合成器８５０は、ＣＣＥの個数に相当する個数で受信アンテナを選択し、受信アンテナ別にチャネル資源を割当する。また、ＣＣＥの個数が送信アンテナの個数を超過すれば、選択／合成器８５０は、送信アンテナの個数に相当する個数でチャネル資源を選択し、受信アンテナ別にチャネル資源を割当する。
【００６４】
前述したように、各受信モジュール８１０〜８４０は、複数の受信アンテナから受けた信号を周波数変換及びデジタルデータに変換し、変換された信号のＣＰを除去した後、ＦＦＴ変換過程を行った後、ＰＵＣＣＨ受信部８１４に印加し、ＡＣＫ／ＮＡＣＫ情報を生成する。この時、各々のチャネル資源であるＣＳとＯＣを使用する各受信モジュールのＰＵＣＣＨ受信部８１４は、各々のチャネル資源を使用して当該受信モジュールのＡＣＫ／ＮＡＣＫ情報を生成した後、これを選択／合成器８５０に印加する。また、ＰＤＣＣＨ内のＣＣＥ個数と端末の送信アンテナ個数情報を入力する制御器８００は、これを分析して前記選択／合成器８５０を制御する信号を生成する。すると、前記選択／合成器８５０の前記制御器８００の制御信号によって前記第１受信モジュール８１０〜第４受信モジュール８４０で複数のチャネル資源を利用して生成された情報を選択及び合成し、１個の最終ＡＣＫ／ＮＡＣＫ情報を生成する。
【００６５】
図１５〜図１８は、ＡＣＫ／ＮＡＣＫ情報をＰＤＣＣＨのＣＣＥ個数と送信アンテナの個数によって受信する制御の流れ図である。前記図１５〜図１７で、ＰＤＣＣＨが含むＣＣＥの個数を把握し、ＣＣＥの個数によって１個の場合、図１５のような手続を行い、２個の場合、図１６のような手続を行い、４個の場合、図１７のような手続を行い、８個の場合、図１８のような手続を行う。
【００６６】
図１５は、ＰＤＣＣＨが１個のＣＣＥよりなる場合、ＡＣＫ／ＮＡＣＫ受信手続を示す流れ図である。
【００６７】
前記図１５を参照すれば、受信装置は、段階９１２でＰＤＣＣＨが含むＣＣＥの個数を検査する。この時、前記ＣＣＥの個数が１個なら、前記受信装置は、段階９１４に進行し、端末の送信アンテナの個数を検査する。この時、送信装置の送信アンテナの個数が１個なら、前記受信装置は、段階９１６で既存のＬＴＥシステムと同様に１個のＡＣＫＣＨを１個のチャネル資源である１個のＣＳと１個のＯＣを使用して複数の受信アンテナを通じて受信する。また、前記送信アンテナの数が２個なら、前記受信装置は、段階９１８で１個のＡＣＫＣＨを１個のチャネル資源である１個のＣＳと１個のＯＣを使用して複数の受信アンテナを通じて受信する。１個のチャネル資源を通過したＡＣＫＣＨは、各チャネル資源を使用して受信した信号を送信ダイバーシチ（transmit diversity）方法によってアンテナ選択方法またはＰＶＳ方法を使用して受信する。
【００６８】
上記のように、受信装置は、送信装置のアンテナ送信方法によってＡＣＫ／ＮＡＣＫ受信方法が変わる。仮に送信装置で１個の送信アンテナを使用したら、受信装置は、１個のＡＣＫ／ＮＡＣＫ情報を同一のチャネル資源である１個のＣＳとＯＣを使用して複数のアンテナを通じて受信する。仮に送信装置で２個の送信アンテナを支援すれば、受信装置は、１個のＡＣＫ／ＮＡＣＫ情報を同一のチャネル資源である１個のＣＳとＯＣを使用してアンテナ選択方法またはＰＶＳ方法を使用して複数の受信アンテナを通じて受信する。
【００６９】
図１６は、ＰＤＣＣＨが２個のＣＣＥよりなり、送信装置が１個、２個または４個の送信アンテナを有する場合、受信装置のＡＣＫ／ＮＡＣＫ情報受信の流れ図である。
【００７０】
前記図１６を参照すれば、基地局装置は、図１５の段階９１２でＰＤＣＣＨが含むＣＣＥの個数が２個であることを確認すれば、段階９２２に進行し、送信装置の送信アンテナの個数を検査する。この時、前記送信アンテナの数が１個なら、前記受信装置は、段階９２４で既存のＬＴＥシステムと同様に１個のＡＣＫＣＨを１個のチャネル資源である１個のＣＳと１個のＯＣを使用して複数の受信アンテナを通じて受信する。例えば、受信装置は、ＡＣＫ／ＮＡＣＫ情報をＰＤＣＣＨの１番目のＣＣＥにマッピングされたチャネル資源を使用して受信する。また、前記送信アンテナの数が２個なら、前記基地局装置は、段階９２６で１個のＡＣＫＣＨをチャネル資源である２個のＣＳと２個のＯＣを使用して複数の受信アンテナを通じて受信する。また、前記送信アンテナの数が４個なら、前記受信装置は、段階９２８で１個のＡＣＫＣＨを２個のチャネル資源である２個のＣＳと２個のＯＣを使用して複数の受信アンテナを通じて受信する。１個のチャネル資源を通過したＡＣＫＣＨは、各チャネル資源を使用して受信した信号を送信ダイバーシチ（transmit diversity）方法によってアンテナ選択方法またはＰＶＳ方法を使用して受信する。
【００７１】
前記図１６に示されたように、ＰＤＣＣＨが２個のＣＣＥを有する場合、前記受信装置は、２個のチャネル資源を利用して１個のＡＣＫ／ＮＡＣＫ情報を受信することができる。しかし仮に送信装置が１個の送信アンテナを有する場合、受信装置は、既存のＬＴＥシステムと同様に１個のＡＣＫ／ＮＡＣＫ情報を１個のチャネル資源である１個のＣＳとＯＣを利用して複数の受信アンテナを通じて受信する。仮に送信装置が２個の送信アンテナを有する場合、受信装置は、１個のＡＣＫ／ＮＡＣＫ情報を２個のチャネル資源である２個のＣＳとＯＣを利用して複数の受信アンテナを使用して受信する。仮に送信装置が４個の送信アンテナを有する場合、受信装置は、１個のＡＣＫ／ＮＡＣＫ情報を２個のチャネル資源である２個のＣＳとＯＣを利用して生成された情報に基づいて複数の受信アンテナを通じてアンテナ選択方法またはＰＶＳ方法によって受信する。
【００７２】
図１７は、ＰＤＣＣＨが４個のＣＣＥよりなり、送信装置が１、２、４個の送信アンテナを有する場合、受信装置の制御流れ図である。
【００７３】
前記図１７を参照すれば、受信装置は、図１５の段階９１２でＰＤＣＣＨが含むＣＣＥの個数が４個であることを確認すれば、段階９３２に進行し、送信装置の送信アンテナの個数を検査する。この時、前記送信装置の送信アンテナの数が１個なら、前記受信装置は、段階９３４で既存のＬＴＥシステムと同様に１個のＡＣＫＣＨを１個のチャネル資源である１個のＣＳと１個のＯＣを使用して複数の受信アンテナを通じて受信する。例えば、受信装置は、ＡＣＫ／ＮＡＣＫ情報をＰＤＣＣＨの１番目のＣＣＥにマッピングされたチャネル資源を使用して受信する。また、前記送信装置の送信アンテナの数が２個なら、前記受信装置は、段階９３６で１個のＡＣＫＣＨを２個のチャネル資源である２個のＣＳと２個のＯＣを使用して複数の受信アンテナを通じて受信する。また、前記送信装置の送信アンテナの数が４個なら、前記受信装置は、段階９３８で１個のＡＣＫＣＨを４個のチャネル資源である４個のＣＳと４個のＯＣを使用して複数の受信アンテナを通じて受信する。
【００７４】
前記図１７に示されたように、ＰＤＣＣＨが４個のＣＣＥを有する場合、受信装置は、４個のチャネル資源である４個のＣＳとＯＣを使用することができる。この時、仮に送信装置が１個の送信アンテナを有する場合、受信装置は、既存のＬＴＥシステムと同様に１個のＡＣＫ／ＮＡＣＫ情報を１個のチャネル資源である１個のＣＳとＯＣを使用して複数の受信アンテナを通じて受信する。仮に送信装置が２個の送信アンテナを有する場合、前記表２に示されたように、１個のＡＣＫ／ＮＡＣＫ情報は、２個のチャネル資源である２個のＣＳとＯＣを使用して複数の受信アンテナを通じて受信される。仮に送信装置が４個の送信アンテナを有する場合、１個のＡＣＫ／ＮＡＣＫ情報は、４個のチャネル資源である４個のＣＳとＯＣを使用して複数の受信アンテナを通じて受信される。
【００７５】
図１８は、ＰＤＣＣＨが８個のＣＣＥよりなり、送信装置が１、２、４個の送信アンテナを有する場合、受信装置の制御流れ図である。
【００７６】
前記図１８を参照すれば、受信装置は、図１５の段階９１２でＰＤＣＣＨが含むＣＣＥの個数が８個であることを確認すれば、段階９４２に進行し、送信装置の送信アンテナの個数を検査する。この時、前記送信装置の送信アンテナの個数が１個なら、前記受信装置は、段階９４４で既存のＬＴＥシステムと同様に１個のＡＣＫＣＨを１個のチャネル資源である１個のＣＳと１個のＯＣを使用して複数の受信アンテナを通じて受信する。例えば、受信装置は、ＡＣＫ／ＮＡＣＫ情報をＰＤＣＣＨの１番目のＣＣＥにマッピングされたチャネル資源を使用して受信する。また、前記送信装置の送信アンテナの数が２個なら、前記受信装置は、段階９４６で１個のＡＣＫＣＨを２個のチャネル資源である２個のＣＳと２個のＯＣを使用して複数の受信アンテナを通じて受信する。また、前記送信装置の送信アンテナの数が４個なら、前記受信装置は、段階９４８で１個のＡＣＫＣＨを４個のチャネル資源である４個のＣＳと４個のＯＣを使用して複数の受信アンテナを通じて受信する。
【００７７】
ＬＴＥ−Ａシステムでは、逆方向送信アンテナは、４個を最大値に限定する。それで、前記図１８に示されたように、ＰＤＣＣＨが８個のＣＣＥを有する場合、受信装置は、８個のＣＣＥにマッチングされる８個のチャネル資源のうち送信アンテナの個数によって使用されるチャネル資源を選択するようになる。この時、仮に送信装置が１個の送信アンテナを有する場合、受信装置は、既存のＬＴＥシステムのように１個のＡＣＫ／ＮＡＣＫ情報を１番目のＣＣＥにマッチングされるチャネル資源を使用して複数の受信アンテナを通じて受信する。仮に送信装置が２個の送信アンテナを使用する場合、前記表３に示されたように、１個のＡＣＫ／ＮＡＣＫ情報は、８個のチャネル資源のうち２個のチャネル資源を使用して複数の受信アンテナを通じて受信される。仮に送信装置が４個の送信アンテナを使用する場合、前記表４Ａ、表４Ｂに示されたように、１個のＡＣＫ／ＮＡＣＫ情報は、８個のチャネル資源のうち４個のチャネル資源を使用して複数の受信アンテナを通じて受信される。
【符号の説明】
【００７８】
６００ ・・・制御器
６１０ ・・・第１伝送モジュール
６５０ ・・・分配／選択器
６６１ ・・・送信機
８００ ・・・制御器
８１０ ・・・第１受信モジュール
８５０ ・・・選択／合成器
【図１】
0005989812.tif 000008
【図２】
0005989812.tif 000009
【図３】
0005989812.tif 000010
【図４】
0005989812.tif 000011
【図５】
0005989812.tif 000012
【図６】
0005989812.tif 000013
【図７】
0005989812.tif 000014
【図８】
0005989812.tif 000015
【図９】
0005989812.tif 000016
【図１０】
0005989812.tif 000017
【図１１】
0005989812.tif 000018
【図１２】
0005989812.tif 000019
【図１３】
0005989812.tif 000020
【図１４】
0005989812.tif 000021
【図１５】
0005989812.tif 000022
【図１６】
0005989812.tif 000023
【図１７】
0005989812.tif 000024
【図１８】
0005989812.tif 000025